(57)【要約】【課題】ピン留めとその解除が簡単なピン留め具を提供する。【解決手段】ピンが挿入される内筒体と、その外周に設けた負荷状態のコイルバネと、コイルバネの外周を包囲する外筒体を備え、コイルバネの付勢力に抗する内筒体と外筒体の相対移動によりピン留め部材をピン留め位置とピン留め解除位置との間で移動・変位させるピン留め具において、内筒体と外筒体には互いに隣接するフランジを設け、両フランジの境界部の外周には弾性変形可能な軟質材料からなる環状の圧入部材を設けたピン留め具。【選択図】図５
2013048682.tif 000002
【特許請求の範囲】
【請求項１】
ピンが挿入される内筒体と、その外周に設けた負荷状態のコイルバネと、前記コイルバネの外周を包囲する外筒体と、ピンを留めるピン留め部材とを備え、自然状態においてはコイルバネの付勢力によりピン留め部材がピン留め位置にあり、コイルバネの付勢力に抗する内筒体と外筒体との軸方向への相対移動によりピン留め部材がピン留め解除位置へ移動又は変位するように構成されたピン留め具において、
前記内筒体には外向フランジを設けると共に外筒体には前記外向フランジに隣接する内向フランジを設け、かつ外向フランジと内向フランジとの境界部の外周には弾性変形可能な軟質材料からなる環状の圧入部材を設けたことを特徴とするピン留め具。
【請求項２】
下記（１）〜（４）の部材を備え、下記（５）のように構成されていることを特徴とするピン留め具。
（１）ピンが挿入される筒体であって、その軸方向片側（T1側）の端部には径方向の外側へ膨出、湾曲又は屈曲する外向フランジを形成すると共に、その壁部の適宜な部位に切欠き窓を設けた内筒体。
（２）前記内筒体の外周に設けた引張り状態のコイルバネであって、下記の揺動アームに対して引張り方向の強い力を受けた時に、揺動アームが下記のピン留めアームの延設方向に対する直角方向へ傾動するように設計されたコイルバネ。
（３）前記コイルバネの外周を包囲する筒体であって、前記T1側の端部には前記内筒体の外向フランジに対してT1側とは反対側（T2側）から接する内向フランジを径方向の内側へ膨出、湾曲又は屈曲して形成した外筒体。
（４）前記外筒体の外周に設けた弾性変形可能な軟質材料からなる部材であって、少なくとも前記外向フランジと内向フランジとの境界部外周に接する環状の圧入部を備えるカバー部材。
（５）前記コイルバネのT1側の端部を内筒体外周部に固定させ、コイルバネのT2側の端部からは、コイルの軸方向沿いにT1側へ折返されてコイル外側を通過する直線状の揺動アームを設け、この揺動アームの先端からは、前記切欠き窓を通過して内筒体のほぼ軸線位置を横断するピン留めアームを延設しており、このピン留めアームがコイルバネの引張り力によって常に外筒体の内向フランジに押圧されている。
【請求項３】
下記（１）〜（４）の部材を備え、下記（６）のように構成されていることを特徴とするピン留め具。
（１）ピンが挿入される筒体であって、その軸方向片側（T1側）の端部には径方向の外側へ膨出、湾曲又は屈曲する外向フランジを形成すると共に、その壁部の適宜な部位に切欠き窓を設けた内筒体。
（２）前記内筒体の外周に設けた圧縮状態のコイルバネであって、下記の揺動アームに対して圧縮方向の強い力を受けた時に、揺動アームが下記のピン留めアームの延設方向に対する直角方向へ傾動するように設計されたコイルバネ。
（３）前記コイルバネの外周を包囲する筒体であって、前記T1側の端部には前記内筒体の外向フランジに対してT1側とは反対側（T2側）から接する内向フランジを径方向の内側へ膨出、湾曲又は屈曲して形成した外筒体。
（４）前記外筒体の外周に設けた弾性変形可能な軟質材料からなる部材であって、少なくとも前記外向フランジと内向フランジとの境界部外周に接する環状の圧入部を備えるカバー部材。
（６）前記コイルバネのT2側の端部を内筒体外周部に固定させ、コイルバネのT1側の端部からは、コイルの軸方向沿いにT1側へ屈曲された直線状の揺動アームを設け、この揺動アームの先端からは、前記切欠き窓を通過して内筒体のほぼ軸線位置を横断するピン留めアームを延設しており、このピン留めアームがコイルバネの押圧力によって常に外筒体の内向フランジに押圧されている。
【請求項４】
前記内筒体のT1側からピンを挿入する方式であることを特徴とする請求項２又は請求項３に記載のピン留め具。
【請求項５】
前記内筒体のT2側からピンを挿入する方式であることを特徴とする請求項２又は請求項３に記載のピン留め具。
【請求項６】
前記カバー部材が下記（７）又は（８）に該当することを特徴とする請求項２〜請求項５のいずれかに記載のピン留め具。
（７）カバー部材が、前記圧入部のみからなるリング体である。
（８）カバー部材が、前記圧入部を含むと共に内筒体、コイルバネ、外筒体の一部ないし大部分の外周を包囲する筒体である。
【請求項７】
前記カバー部材がシリコンゴムからなることを特徴とする請求項２〜請求項６のいずれかに記載のピン留め具。
【請求項８】
前記内筒体に設けた切欠き窓が、カバー部材の圧入部を外向フランジと内向フランジとの境界部に圧入させた際に生じるピン留めアームにおける下記（９）の相対移動及び（１０）の変位を許容する軸方向と径方向の幅を持つことを特徴とする請求項２〜請求項７のいずれかに記載のピン留め具。
（９）内筒体と外筒体の軸方向への相対移動に伴うピン留めアームの内筒体に対する相対移動。
（１０）内筒体と外筒体の軸方向への相対移動時における揺動アームの径方向への揺動に伴うピン留めアームの径方向への変位。
【請求項９】
以下（ａ）〜（ｅ）の構成を有することを特徴とするピン留め具。
（ａ）外筒体を、下端側にピン挿入口を備え上端側に上部開口を有する内向フランジを備えたハウジングとして形成し、
（ｂ）前記外筒体内には、内側壁面にテーパー部が形成された案内筒を設け、
（ｃ）この案内筒の内側空間には、下側端部に鍔部材を有し、この鍔部材と外筒体の前記内向フランジとの間に設けた圧縮状態のコイルバネによりピン挿入口方向に付勢されると共に、上側端部は外筒体の前記内向フランジを通過して外筒体の外部に露出し、この露出端部には内筒体の出し入れ操作用の外向フランジを形成した内筒体（球体押圧部材）と、基本的に案内筒のテーパー部に保持され、案内筒の鍔部材の下面に接触している複数のピン留め用の球体を配置し、
（ｄ）内筒体の外向フランジと、この外向フランジに隣接する外筒体の内向フランジ部との境界部の外周には弾性変形可能な軟質材料からなる環状の圧入部材を設け、
（ｅ）「ピンの直径＋（球体の直径×２）」の数値に対応するテーパー部の内径位置において、ピンが複数の球体で形成される環の内側に挟持される。
【請求項１０】
前記案内筒におけるテーパー部の下方位置に下部円筒状内壁部が形成されており、この領域において球体が上下に自由運動可能な構成であることを特徴とする請求項９に記載のピン留め具。
【請求項１１】
前記外筒体が上側ハウジングと下側ハウジングから成る２部材で構成されており、下側ハウジングには前記ピン挿入口が、上側ハウジングには前記内向フランジが形成されていることを特徴とする請求項９に記載のピン留め具。
【発明の詳細な説明】
【技術分野】
【０００１】
本発明は、タイタック、ピンブローチ、ピアス、ネックレス等の身体装飾品その他の比較的小さなサイズの種々の物品のピン留めに限定なく適用することができるピン留め具に関する。
【背景技術】
【０００２】
近年のピン留め具においては、ピン留め操作とその解除操作とをバネ材を利用して行う構造のものが多い。例えば図１（ａ）、（ｂ）に断面図で示すピン留め具１が公知であり、下記の特許文献１に記載された装身具の止め具も例示される。
【０００３】
図１（ａ）、（ｂ）に示すピン留め具１では、全体的に円形又は楕円形であるカバー２の内部に弾性的に変形可能な材料からなる１対の留め部材３を収納している。１対の留め部材３は、中央のピン挿入部４を中心として対称に構成されており、それぞれ図示する形状のピン留めアーム５と押さえアーム６を備えている。
【０００４】
ピン留め状態においては、図１（ａ）に示すように、双方の留め部材３の押さえアーム６がそれぞれ他方の留め部材３を反対方向へ押しつけ、その結果、一対のピン留めアーム５がピン挿入部４の方向へ押付けられている。そのため、ピン挿入部４にあるピン（図示省略）は１対のピン止めアーム５によって留められる。
【０００５】
ピン留め具１からピンを抜く場合は、留め部材３からカバー２の外側へ突出したボタン部７を中央方向へ押し込む。すると、図１（ｂ）に示すように、１対のピン留めアーム５がそれぞれ押さえアーム６の付勢力に抗してピンから離脱し、ピン留め状態が解除される。
【０００６】
特許文献１に記載された装身具の止め具では、ピン挿入用開口を有するハウジング（外筒体）内に、内側壁面にテーパー部が形成されている案内筒を設ける。そして案内筒の内側空間に、複数のピン留め用の球体と、該球体に対して下面が接触する鍔部材を有し、かつ弾性体（コイルバネ）により常にピン挿入用開口方向に付勢される球体押圧部材（内筒体）を配置している。その結果、テーパー部の所定の内径位置において、複数の球体で形成される環の内側にピンを挟持するという構成である。
【先行技術文献】
【特許文献】
【０００７】
【特許文献１】特開２００８−３９４号公報
【発明の開示】
【発明が解決しようとする課題】
【０００８】
ところで、身体装飾品等のピン留め具は一般的に非常に小さなサイズである。そのため、ピン留め具の部品製造や部品組付け上の便宜からは、構造を簡素化することが求められる。ピン留め具の使用上の便宜からは、ピン留め操作とその解除操作とを、装飾品装着者の手指により簡単・確実に行えるようにすることが求められる。
【０００９】
しかし図１に示す従来技術では、１対の留め部材３は複雑に屈曲した形状のピン留めアーム５と押さえアーム６を備えており、このような複雑形状の留め部材３を微細なサイズにて正確に製造することは容易ではない。
【００１０】
更に、特許文献１に係る従来技術では、ピン留め操作とその解除操作の際、一方の手指で止め具本体を保持しつつ、他方の手指で球体押圧部材（内筒体）のフランジ状の摘み部を摘んで（実際には、部材が微小なため指の爪先を引っ掛けて）、弾性体の付勢力に抗しつつ球体押圧部材を引っ張り、止め具本体から引き離す必要がある。このような微小部材の引っ張り操作はもともと簡単ではない上、特に止め具がネックレスである場合は、首の後ろという目に見えない部位で引っ張り操作する必要があるために、一層困難である。
【００１１】
そこで本発明は、しかもピン留め操作とその解除操作を簡単・確実に行えるピン留め具を提供することを、解決すべき技術的課題とする。
【課題を解決するための手段】
【００１２】
（第１発明）
上記課題を解決するための本願第１発明の構成は、ピンが挿入される内筒体と、その外周に設けた負荷状態のコイルバネと、前記コイルバネの外周を包囲する外筒体と、ピンを留めるピン留め部材とを備え、自然状態においてはコイルバネの付勢力によりピン留め部材がピン留め位置にあり、コイルバネの付勢力に抗する内筒体と外筒体との軸方向への相対移動によりピン留め部材がピン留め解除位置へ移動又は変位するように構成されたピン留め具において、
前記内筒体には外向フランジを設けると共に外筒体には前記外向フランジに隣接する内向フランジを設け、かつ外向フランジと内向フランジとの境界部の外周には弾性変形可能な軟質材料からなる環状の圧入部材を設けた、ピン留め具である。
【００１３】
以上の第１発明において、コイルバネの「負荷状態」とは、コイルバネが引張り状態又は圧縮状態にあることをいう。そして、コイルバネの「付勢力」とは、引張り状態のコイルバネにおいては引張り力であり、圧縮状態のコイルバネにおいては押圧力である。
【００１４】
（第２発明）
上記課題を解決するための本願第２発明の構成は、下記（１）〜（４）の部材を備え、下記（５）のように構成されている、ピン留め具である。
【００１５】
（１）ピンが挿入される筒体であって、その軸方向片側（T1側）の端部には径方向の外側へ膨出、湾曲又は屈曲する外向フランジを形成すると共に、その壁部の適宜な部位に切欠き窓を設けた内筒体。
【００１６】
（２）前記内筒体の外周に設けた引張り状態のコイルバネであって、下記の揺動アームに対して引張り方向の強い力を受けた時に、揺動アームが下記のピン留めアームの延設方向に対する直角方向へ傾動するように設計されたコイルバネ。
【００１７】
（３）前記コイルバネの外周を包囲する筒体であって、前記T1側の端部には前記内筒体の外向フランジに対してT1側とは反対側（T2側）から接する内向フランジを径方向の内側へ膨出、湾曲又は屈曲して形成した外筒体。
【００１８】
（４）前記外筒体の外周に設けた弾性変形可能な軟質材料からなる部材であって、少なくとも前記外向フランジと内向フランジとの境界部外周に接する環状の圧入部を備えるカバー部材。
【００１９】
（５）前記コイルバネのT1側の端部を内筒体外周部に固定させ、コイルバネのT2側の端部からは、コイルの軸方向沿いにT1側へ折返されてコイル外側を通過する直線状の揺動アームを設け、この揺動アームの先端からは、前記切欠き窓を通過して内筒体のほぼ軸線位置を横断するピン留めアームを延設しており、このピン留めアームがコイルバネの引張り力によって常に外筒体の内向フランジに押圧されている。
【００２０】
上記の第２発明（及び次の第３発明）において、「揺動アームに対して引張り（圧縮）方向の強い力を受けた時に、揺動アームがピン留めアームの延設方向に対する直角方向へ傾動するように設計されたコイルバネ」とは、例えば、「コイルバネの巻き方向」、「コイルバネにおける周方向のどの部位から揺動アームを延設させるか」、とか「予め揺動アームをコイルバネの軸方向に対して少し傾斜した方向へ延設させる」といった多種多様な設計事項により実現できるものであり、一律には限定されない。
【００２１】
（第３発明）
上記課題を解決するための本願第３発明の構成は、下記（１）〜（４）の部材を備え、下記（６）のように構成されている、ピン留め具である。
【００２２】
（１）ピンが挿入される筒体であって、その軸方向片側（T1側）の端部には径方向の外側へ膨出、湾曲又は屈曲する外向フランジを形成すると共に、その壁部の適宜な部位に切欠き窓を設けた内筒体。
【００２３】
（２）前記内筒体の外周に設けた圧縮状態のコイルバネであって、下記の揺動アームに対して圧縮方向の強い力を受けた時に、揺動アームが下記のピン留めアームの延設方向に対する直角方向へ傾動するように設計されたコイルバネ。
【００２４】
（３）前記コイルバネの外周を包囲する筒体であって、前記T1側の端部には前記内筒体の外向フランジに対してT1側とは反対側（T2側）から接する内向フランジを径方向の内側へ膨出、湾曲又は屈曲して形成した外筒体。
【００２５】
（４）前記外筒体の外周に設けた弾性変形可能な軟質材料からなる部材であって、少なくとも前記外向フランジと内向フランジとの境界部外周に接する環状の圧入部を備えるカバー部材。
【００２６】
（６）前記コイルバネのT2側の端部を内筒体外周部に固定させ、コイルバネのT1側の端部からは、コイルの軸方向沿いにT1側へ屈曲された直線状の揺動アームを設け、この揺動アームの先端からは、前記切欠き窓を通過して内筒体のほぼ軸線位置を横断するピン留めアームを延設しており、このピン留めアームがコイルバネの押圧力によって常に外筒体の内向フランジに押圧されている。
【００２７】
（第４発明）
上記課題を解決するための本願第４発明の構成は、前記第２発明又は第３発明に係るピン留め具が内筒体のT1側からピンを挿入する方式である、ピン留め具である。
【００２８】
（第５発明）
上記課題を解決するための本願第５発明の構成は、前記第２発明又は第３発明に係るピン留め具が内筒体のT2側からピンを挿入する方式である、ピン留め具である。
【００２９】
（第６発明）
上記課題を解決するための本願第６発明の構成は、前記第２発明〜第５発明のいずれかに係るピン留め具において、カバー部材が下記（７）又は（８）に該当する、ピン留め具である。
【００３０】
（７）カバー部材が、前記圧入部のみからなるリング体である。
【００３１】
（８）カバー部材が、前記圧入部を含むと共に内筒体、コイルバネ、外筒体の一部ないし大部分の外周を包囲する筒体である。
【００３２】
以上の第６発明の（８）において、カバー部材が「内筒体、コイルバネ、外筒体の大部分の外周を包囲する」とは、内筒体における外向フランジ以外の部分と、コイルバネ及び外筒体の全ての部分を包囲することをいう。
【００３３】
（第７発明）
上記課題を解決するための本願第７発明の構成は、前記第２発明〜第６発明のいずれかに係るピン留め具において、カバー部材がシリコンゴムからなる、ピン留め具である。
【００３４】
（第８発明）
上記課題を解決するための本願第８発明の構成は、前記第２発明〜第７発明のいずれかに係るピン留め具において、内筒体に設けた切欠き窓が、カバー部材の圧入部を外向フランジと内向フランジとの境界部に圧入させた際に生じるピン留めアームにおける下記（９）の相対移動及び（１０）の変位を許容する軸方向と径方向の幅を持つ、ピン留め具である。
【００３５】
（９）内筒体と外筒体の軸方向への相対移動に伴うピン留めアームの内筒体に対する相対移動。
【００３６】
（１０）内筒体と外筒体の軸方向への相対移動時における揺動アームの径方向への揺動に伴うピン留めアームの径方向への変位。
【００３７】
（第９発明）
上記課題を解決するための本願第９発明の構成は、以下（ａ）〜（ｅ）の構成を有する、ピン留め具である。
【００３８】
（ａ）外筒体を、下端側にピン挿入口を備え上端側に上部開口を有する内向フランジを備えたハウジングとして形成し、
（ｂ）前記外筒体内には、内側壁面にテーパー部が形成された案内筒を設け、
（ｃ）この案内筒の内側空間には、下側端部に鍔部材を有し、この鍔部材と外筒体の前記内向フランジとの間に設けた圧縮状態のコイルバネによりピン挿入口方向に付勢されると共に、上側端部は外筒体の前記内向フランジを通過して外筒体の外部に露出し、この露出端部には内筒体の出し入れ操作用の外向フランジを形成した内筒体（球体押圧部材）と、基本的に案内筒のテーパー部に保持され、案内筒の鍔部材の下面に接触している複数のピン留め用の球体を配置し、
（ｄ）内筒体の外向フランジと、この外向フランジに隣接する外筒体の内向フランジ部との境界部の外周には弾性変形可能な軟質材料からなる環状の圧入部材を設け、
（ｅ）「ピンの直径＋（球体の直径×２）」の数値に対応するテーパー部の内径位置において、ピンが複数の球体で形成される環の内側に挟持される。
【００３９】
（第１０発明）
上記課題を解決するための本願第１０発明の構成は、前記第９発明に係るピン留め具において、案内筒におけるテーパー部の下方位置に下部円筒状内壁部が形成されており、この領域において球体が上下に自由運動可能な構成である、ピン留め具である。
【００４０】
（第１１発明）
上記課題を解決するための本願第１１発明の構成は、前記第９発明に係るピン留め具において、外筒体が上側ハウジングと下側ハウジングから成る２部材で構成されており、下側ハウジングには前記ピン挿入口が、上側ハウジングには前記内向フランジが形成されている、ピン留め具である。
【発明の効果】
【００４１】
（第１発明の作用・効果）
第１発明のピン留め具において、自然状態ではコイルバネの付勢力によりピン留め部材がピン留め位置にあり、そのため、ピン留め具がピン留め状態にある。そして、環状の圧入部材を内筒体の外向フランジと外筒体の内向フランジとの境界部にクサビのように押し込むだけで、コイルバネの付勢力に抗して内筒体と外筒体が軸方向への相対移動を起こすため、ピン留め部材がピン留め解除位置へ移動又は変位して、ピン留め具がピン留め解除状態となる。
【００４２】
又、圧入部材の押し込みをやめれば、弾性変形可能な軟質材料からなる圧入部材は元の形状に戻るので、内筒体と外筒体はコイルバネの付勢力に従って相対移動する前の位置へ戻り、従ってピン留め部材がピン留め位置へ戻るので、ピン留め具がピン留め状態に復帰する。
【００４３】
しかも、圧入部材の押し込み操作は片手の親指と人差し指の腹の部分で簡単に行うことができ、その操作はクサビの作用を利用するので小さな力で容易に実行でき、前記従来技術のような指の爪先を引っ掛けて操作するという困難を伴わないので、ピン留め操作とその解除操作を簡単・確実に行うことができる。特に、例えば耳に装着するピアスのように、身体装飾品等のピン留めをメクラ操作で行う必要がある場合に、そのメリットが大きい。
【００４４】
（第２発明の作用・効果）
第２発明においても、基本的に第１発明と同等の作用・効果を奏するが、より具体的には、以下の作用・効果がある。
【００４５】
即ち、第２発明のピン留め具においては、自然状態ではピン留めアームが内筒体のほぼ軸線位置を径方向へ横切る「ピン留め位置」にあり、内筒体に挿入されたピンは、ピン留めアームと内筒体の壁部との間で強く挟着され、抜くことのできないピン留め状態にある。
【００４６】
ピン留め状態を解除するには、カバー部材の圧入部を親指と人差し指で対向方向から押すだけで良い。そうすると、引張りバネの状態にあるコイルバネの付勢力に抗して内筒体の外向フランジと外筒体の内向フランジとの間に圧入部がクサビのように押し込まれ、内筒体はT1側へ、外筒体はT2側へ相対移動する。よって、元々引張りバネの状態にあるコイルバネが更に強い引張り状態となり、ピン留めアームが外筒体の内向フランジに対して更に強く押圧される状態となるため、コイルバネの最もT2側のコイルリングと揺動アームは捩れ変形を起こす。
【００４７】
この捩れ変形に伴い、揺動アームがピン留めアームの延設方向に対する直角方向へ傾動するので、ピン留め位置を通過していたピン留めアームが、内筒体の軸線位置からかなり偏心した「ピン留め解除位置」を通過するように変位する。
【００４８】
ピン留めアームのピン留め解除位置への変位により、内筒体に差し込まれたピンは、ピン留めアームと内筒体の壁部との間での挟着状態から開放されるので、ピン留め具から簡単に抜くことができる。
【００４９】
以上を要するに、第２発明のピン留め具においては、カバー部材の圧入部をクサビのように押し込むだけでピン留め解除ができ、カバー部材の圧入部に対する押し込みをやめるだけでピン留めができるのである。しかも、このような押し込み操作は片手の親指と人差し指の腹の部分で簡単に行うことができ、その操作はクサビの作用を利用するので小さな力で容易に実行でき、前記従来技術のような指の爪先を引っ掛けて操作するという困難を伴わないので、ピン留め操作とその解除操作を簡単・確実に行うことができる。特に、例えば耳に装着するピアスのように、身体装飾品等のピン留めをメクラ操作で行う必要がある場合に、そのメリットが大きい。
【００５０】
（第３発明の作用・効果）
第３発明のピン留め具においては、下記の点を除いては、第２発明と同等の作用・効果を奏する。
【００５１】
即ち、カバー部材の圧入部を親指と人差し指で対向方向から押した場合、内筒体がT1側へ、外筒体がT2側へ相対移動する結果、元々圧縮バネの状態にあるコイルバネが更に強い圧縮状態となり、ピン留めアームが外筒体の内向フランジに対して更に強く押圧されるため、コイルバネの最もT1側のコイルリングと揺動アームが捩れ変形を起こす。
【００５２】
この捩れ変形に伴い、揺動アームがピン留めアームの延設方向に対する直角方向へ傾動するので、ピン留め位置を通過していたピン留めアームが、内筒体の軸線位置からかなり偏心した「ピン留め解除位置」を通過するように変位する。
【００５３】
（第４発明及び第５発明の作用・効果）
本発明に係るピン留め具においては、内筒体のT1側からピンを挿入する（T1側をピン挿入側とする）方式が特に好ましい。しかし、内筒体のT2側からピンを挿入する（T2側をピン挿入側とする）方式も可能である。
【００５４】
（第６発明の作用・効果）
カバー部材は、第６発明の（７）に規定するように、圧入部のみからなるリング体（小さな輪ゴムのようなもの）であっても良い。この場合、カバー部材の製造、組付けが極めて簡単である。又、第６発明の（８）に規定するように、圧入部を含むと共に内筒体、コイルバネ、外筒体の一部ないし大部分の外周を包囲する筒体であっても良い。この場合、ピン留め具からカバー部材が外れ難く、ピン留め具の外観を整えることも容易である。
【００５５】
（第７発明の作用・効果）
カバー部材を構成する「弾性変形可能な軟質材料」の種類は限定されないが、第７発明に規定するシリコンゴムからなるカバー部材が特に好ましい。
【００５６】
（第８発明の作用・効果）
内筒体に設ける切欠き窓は、前記したピン留め解除操作時のピン留めアームの動きを実質的に許す形状である限りにおいて限定されないが、特に好ましくは第８発明の（９）の相対移動及び（１０）の変位を許容する軸方向と径方向の幅を持つように形成される。
【００５７】
（第９発明の作用・効果）
第９発明においても、基本的に第１発明と同等の作用・効果を奏するが、より具体的には、以下の作用・効果がある。
【００５８】
即ち、第９発明のピン留め具においては、自然状態では複数のピン留め用の球体が、圧縮状態のコイルバネの付勢力により、案内筒のテーパー部内において径の小さな部分に押込まれ、ピンを強く挟持する「ピン留め位置」にある。従って、挿入されたピンは、抜くことのできないピン留め状態にある。
【００５９】
ピン留め状態を解除するには、環状の圧入部材を親指と人差し指で対向方向から押すだけで良い。そうすると、圧縮状態にあるコイルバネの付勢力に抗して、内筒体の外向フランジと外筒体の内向フランジ部との間に圧入部材がクサビのように押し込まれ、内筒体と外筒体が軸方向へ相対移動する。その結果、複数のピン留め用の球体が圧縮状態のコイルバネの付勢力から開放され、案内筒のテーパー部内において径の大きな部分への移動を許されるため、容易にピンを抜くことのできるピン留め解除状態になる。
【００６０】
以上を要するに、第９発明のピン留め具においては、圧入部材をクサビのように押し込むだけでピン留め解除ができ、圧入部材に対する押し込みをやめるだけでピン留めができるのである。しかも、このような押し込み操作は片手の親指と人差し指の腹の部分で簡単に行うことができ、その操作はクサビの作用を利用するので小さな力で容易に実行でき、前記従来技術のような指の爪先を引っ掛けて操作するという困難を伴わないので、ピン留め操作とその解除操作を簡単・確実に行うことができる。特に、例えば耳に装着するピアスのように、身体装飾品等のピン留めをメクラ操作で行う必要がある場合に、そのメリットが大きい。
【００６１】
（第１０発明及び第１１発明の作用・効果）
第９発明のピン留め具においては、好ましくは、第１０発明のように案内筒におけるテーパー部の下方位置に下部円筒状内壁部を形成しても良いし、第１１発明のように外筒体を上側ハウジングと下側ハウジングから成る２部材で構成しても良い。
【図面の簡単な説明】
【００６２】
【図１】従来のピン留め式の留め具の一例を断面図で示す。
【図２】第１実施例に係るピンとカバー部材（断面図）を示す。
【図３】第１実施例に係る外筒体（断面図）と内筒体（断面図）を示す。
【図４】第１実施例に係るコイルバネを斜視図で示す。
【図５】第１実施例に係るピン留め具のピン留め状態とピン留め解除状態を示す。コイルバネ及びピンを除いては断面図である。
【図６】図５（ａ）のX1−X1線に沿う断面図と、図５（ｂ）のX2−X2線に沿う断面図を示す。
【図７】第２実施例に係るピン留め具のピン留め解除状態を示す。コイルバネ及びピンを除いては断面図である。
【図８】第３実施例に係るピン留め具のピン留め解除状態とピン留め状態を示す。球体を除いては断面図である。
【図９】第３実施例の変更例に係るピン留め具のピン留め状態を示す。球体を除いては断面図であり、ピンの図示を省略する。
【符号の説明】
【００６３】
１０、１０１、６０、６０１          ピン留め具
１１                                ピン
１２                                本体
１３                                凹部
２０、２０１                        カバー部材
２３、２３１                        圧入部
３０、６１、６１１                  外筒体
３１、３１１、６３、６３１          内向フランジ
３２                                側面
４０、４０１、６７                  内筒体
４１                                湾曲面
４２、４２１、７０                  外向フランジ
４３                                側面
４４、４４１                        切欠き窓
５０、５０１、６９                  コイルバネ
５１、５１１                        揺動アーム
５２、５２１                        ピン留めアーム
６２                                ピン挿入口
６４                                テーパー部
６５                                案内筒
６６、６６、・・・                  球体
６８                                鍔部材
７１                                圧入部材
【発明を実施するための形態】
【００６４】
次に本発明の実施形態を、その最良の形態を含めて説明する。
【００６５】
〔ピンとピン留め具の関係〕
本発明に係るピン留め具は、身体装飾品や、その他の比較的小さなサイズの種々の物品に設けられたピンを留めるピン留め具である。
【００６６】
身体装飾品としては、タイタック、ピンブローチ、ピアス、ネックレス等を例示することができ、これらの装飾品において、例えば、宝石等をあしらった装飾部材側にピンを取り付け、この装飾部材をピン留め具で留める方式とすることができる。身体装飾品以外の比較的小さなサイズの各種の物品として、例えばおもちゃ、日用雑貨等を例示できる。これらの物品についても、その部品同士の一方にピン留め具を、他方にピンを設けることにより、互いに留め付けることができる。更に、これらの物品を壁面やボード等に、一方にピン留め具を、他方にピンを設けることにより、留め付けることにも利用できる。
【００６７】
ピンは、その先端部付近にピン留めアームを食い込ませるための凹状部分を形成しても良いが、本発明のピン留め具は、このような凹状部分のないピンに対しても十分にピン留め効果を期待できる。
【００６８】
〔第１の実施形態〕
本実施形態のピン留め具は、ピンが挿入される内筒体と、その外周に設けた負荷状態のコイルバネと、前記コイルバネの外周を包囲する外筒体と、ピンを留めるピン留め部材とを備え、自然状態においてはコイルバネの付勢力によりピン留め部材がピン留め位置にあり、コイルバネの付勢力に抗する内筒体と外筒体との軸方向への相対移動によりピン留め部材がピン留め解除位置へ移動又は変位するように構成されたピン留め具において、前記内筒体には外向フランジを設けると共に外筒体には前記外向フランジに隣接する内向フランジを設け、かつ外向フランジと内向フランジとの境界部の外周には弾性変形可能な軟質材料からなる環状の圧入部材を設けたものである。
【００６９】
内筒体は、ピンが挿入される筒体である限りにおいて形状及び構成を特段に限定されないが、後述の第２の実施形態又は第４の実施形態において説明する内筒体が好ましく例示される。コイルバネは、内筒体の外周に設ける引張り状態又は圧縮状態のコイルバネである。外筒体は、コイルバネの外周を包囲する筒体である限りにおいて、形状及び構成を特段に限定されないが、後述の第２の実施形態又は第４の実施形態において説明する外筒体が好ましく例示される。
【００７０】
ピン留め部材と、このピン留め部材が内筒体と外筒体との軸方向への相対移動時にピン留め位置とピン留め解除位置との間で移動又は変位する機構については、上記のように構成されている限りにおいて限定されないが、後述の第２の実施形態において説明するピン留めアームの構成や、第４の実施形態において説明するピン留め用の球体の構成が好ましく例示される。
【００７１】
環状の圧入部材は、内筒体の外向フランジと外筒体の内向フランジとの境界部外周に設ける、弾性変形可能な軟質材料からなる小さな輪ゴムのようなリング体であって、その構成材料は、例えばシリコンゴムのような各種の軟質のゴム材料もしくはエラストマー材料が好ましい。
【００７２】
〔第２の実施形態〕
本実施形態のピン留め具は、少なくとも、内筒体、コイルバネ、外筒体及びカバー部材によって構成される。
【００７３】
（内筒体）
内筒体は、ピンが挿入される筒体であって、その軸方向の片側（T1側）の端部には径方向の外側へ膨出、湾曲又は屈曲する外向フランジを形成したものである。内筒体は金属その他の硬質で丈夫な材料からなることが好ましい。
【００７４】
ピンは、内筒体への挿入時において、後述するピン留めアームによってピン留めされる位置まで達すれば、ピン留め具の目的を達成できる。従って、内筒体のT1側からピンを挿入する方式の設計と、内筒体のT2側からピンを挿入する方式の設計とが考えられる。
【００７５】
この点に関して、ピンを内筒体のT1側の開口部から挿入する方式の設計とする場合は、ピンの挿入に対するガイド作用の点から、外向フランジのT1側（開口部側）の開口部を次第にラッパ状に広がる湾曲面とすることが好ましい。従って、逆にピンを内筒体のT2側の開口部から挿入する方式の設計とする場合は、内筒体のT2側の開口部を次第にラッパ状に広がる湾曲面とすることが好ましい。
【００７６】
一方、ピンを内筒体のT1側、T2側のいずれの開口部から挿入する設計とする場合でも、後述する外筒体の内向フランジとの関係で、内筒体の外向フランジは必要である。この外向フランジのT2側の面は、後述するカバー部材の圧入部の押込み及び退避をスムーズに行わせるために、断面円弧状の湾曲面とすることが好ましい。
【００７７】
内筒体は円筒状であることが好ましいが、その他の断面形状の筒体、例えば、断面が方形の筒体とすることも可能である。筒体である内筒体の内径は、ピンを挿入できる程度である限りにおいて限定されないが、ピンの太さよりも幾分大きな内径であって、ピン留め状態においてピンを十分に強く留めることができる程度に小さな内径であることが好ましい。
【００７８】
内筒体の壁部には、後述するコイルバネのピン留めアームを通過させるための切欠き窓を設ける。この切欠き窓の形状は、ピン留め解除操作時のピン留めアームの動きを実質的に許す形状である限りにおいて限定されないが、好ましくは、ピン留め解除操作時におけるピン留めアームの下記（８）の相対移動及び（９）の変位を許容する軸方向と径方向の幅を持つ形状である。
【００７９】
（８）内筒体と外筒体の軸方向への相対移動に伴うピン留めアームの内筒体に対する相対移動。
【００８０】
（９）内筒体と外筒体の軸方向への相対移動時における揺動アームの径方向への揺動に伴うピン留めアームの変位。
【００８１】
内筒体に設ける切欠き窓については、更に、内筒体のT2側の端部から軸方向沿いに切欠き窓に至る切欠き状のガイド溝を併せ設けることも好ましい。このガイド溝の併設により、第１に切欠き窓の加工が容易になり、第２に内筒体の外周にコイルバネを取付ける際にピン留めアームを切欠き窓に容易に導入できる。
【００８２】
内筒体には、コイルバネのT1側の端部を内筒体外周部に固定させるための固定部を設ける。この固定部は、内筒体におけるT1側の端部に近い適宜な部位の外周部に周方向に設けた溝であっても良く、当該部位の壁部に設けた孔であっても良い。溝を設けた場合はコイルバネのT1側の端部をそのまま溝に嵌めれば良く、孔を設けた場合には、コイルバネのT1側の端部をコイルの軸心方向へ屈曲させ、その屈曲部を孔へ差し込めば良い。
【００８３】
（コイルバネ）
コイルバネは、引張りバネの状態で、内筒体の外周に巻回すように設けるものである。コイルバネの内径は、内筒体の外径に比較してやや小さくても良く、ほぼ同等でも良く、やや大きくても良い。コイルバネの外径は、後述する外筒体の内径に比較して、下記の揺動アームを設定できる程度には小さい。
【００８４】
コイルバネのT1側の端部は上記のように内筒体の外周部に固定させるが、コイルバネにおける反対側（T2側）の端部からは揺動アームを延設し、揺動アームの先端からはピン留めアームを延設する。これらの揺動アームとピン留めアームもコイルバネのコイルリング部分と同じバネ材料からなり、コイルバネの一部を変形させて形成したものである。
【００８５】
揺動アームは、コイルバネのT2側の端部をコイルの軸方向沿いにT1側へ折返して形成した、基本的に直線状のアーム部である。揺動アームは、上記したコイルバネのT1側の固定端部よりも更にT1側方向へ延設される。次に、このような揺動アームの先端からは、コイルバネの軸線方向へほぼ直角に屈曲され、結果的に内筒体のほぼ軸線位置を径方向へ通過することとなる、基本的に直線状のピン留めアームが延設される。このピン留めアームは、コイルバネの引張り力によって常に外筒体の内向フランジに押圧されている。コイルバネは、揺動アームに対して引張り方向の強い力を受けた時に、揺動アームがピン留めアームの延設方向に対する直角方向へ傾動するように設計されている。
【００８６】
（外筒体）
外筒体は、コイルバネと、内筒体における外向フランジ以外の部分との外周を包囲する筒体であって、そのT1側の端部には内筒体の外向フランジに対してT2側から接する内向フランジを径方向の内側へ膨出、湾曲又は屈曲して形成している。この内向フランジも、後述するカバー部材における圧入部の押込み及び退避をスムーズに行わせるために、前記外向フランジのT2側の面と対称的に、断面円弧状の湾曲面とすることが好ましい。外筒体は金属その他の硬質で丈夫な材料からなることが好ましい。
【００８７】
外筒体は円筒状であることが好ましいが、内筒体の断面形状に対応して、その他の断面形状の筒体、例えば、断面が方形の筒体とすることも可能である。筒体である外筒体の内・外径については、その内径が前記のようにコイルバネの揺動アームを設定できる程度に大きい限りにおいて、特に限定されない。
【００８８】
内筒体におけるコイルバネのT1側の端部のための前記固定部と、外筒体における内向フランジとの相対的な位置関係を適正に設計することにより、コイルバネを引張りバネの状態で設けることができる。その結果、コイルバネのT1側の端部を内筒体の固定部に固定すると、コイルバネの付勢力により、外筒体の内向フランジが常時、内筒体の外向フランジに対してT2側から接するように付勢される。
【００８９】
（カバー部材）
カバー部材は外筒体の外周に設けた弾性変形可能な軟質材料からなる部材であって、少なくとも、外向フランジと内向フランジとの境界部外周に接する環状の圧入部を備える。即ち、カバー部材は圧入部のみからなる小さな輪ゴムのようなリング体であっても良く、圧入部を含むと共に内筒体、コイルバネ、外筒体の一部又は全部の外周を包囲する筒体であっても良い。
【００９０】
カバー部材の構成材料は、弾性変形可能な軟質材料である限りにおいて限定されないが、例えばシリコンゴムのような各種の軟質のゴム材料もしくはエラストマー材料からなることが好ましい。
【００９１】
カバー部材を筒状に形成する場合において、前記外筒体の例えばT2側の端部には径方向の外側へフランジを形成すると共に、このフランジに嵌合するリング状の溝をカバー部材の内周面に設けることも好ましい。これにより、外筒体に対するカバー部材の位置ズレ、即ち、外向フランジと内向フランジとの境界部外周からの圧入部の位置ズレの恐れを防止できる。又、カバー部材がピン留め具から外れてしまう恐れを防止できる。
【００９２】
〔第３の実施形態〕
本実施形態のピン留め具は、以下に述べるコイルバネの構成、及びピン留め具におけるその取付けの形態を除いては、第２の実施形態に係るピン留め具と同様である。
【００９３】
本実施形態において、コイルバネは圧縮バネの状態で内筒体の外周に巻回すように設ける。コイルバネのT2側の端部は内筒体の外周部に固定させ、コイルバネのT1側の端部からは、コイルの軸方向沿いにT1側へ屈曲された直線状の揺動アームを設け、この揺動アームの先端からは、前記切欠き窓を通過して内筒体のほぼ軸線位置を横断するピン留めアームを延設する。ピン留めアームは、コイルバネの押圧力によって、常に外筒体の内向フランジに押圧されている。上記の揺動アームは第２の実施形態における揺動アームと同じくらいの長さに設けることが好ましい。そのためには、内筒体のT2側の端部を第２の実施形態に比較して長く形成することが好ましい。コイルバネは、揺動アームに対して圧縮方向の強い力を受けた時に、揺動アームがピン留めアームの延設方向に対する直角方向へ傾動するように設計されている。
【００９４】
〔第４の実施形態〕
本実施形態のピン留め具においては、外筒体が、下端側にピン挿入口を備え、上端側に上部開口を有する内向フランジを備えたハウジングとして形成されている。この外筒体内には、内側壁面に上側に向かい拡径するテーパー部が形成された案内筒を設けている。案内筒の内側空間には、複数のピン留め用の球体と、内筒体（球体押圧部材）が配置されている。
【００９５】
内筒体は下側端部に鍔部材を有し、この鍔部材とハウジングの内向フランジとの間に設けた圧縮状態のコイルバネにより、ピン挿入口方向に付勢されている。鍔部材の下面は前記複数の球体と接触している。そのため、複数の球体は、常に案内筒のテーパー部における下部側（径の小さい側）に押されている。
【００９６】
内筒体における上側端部は、外筒体の内向フランジを通過してハウジングの外部に露出し、内筒体のこの露出端部には、内筒体の出し入れ操作用の外向フランジが形成されている。
【００９７】
更に重要な点として、内筒体の外向フランジと、この外向フランジに隣接する外筒体の内向フランジ部との境界部の外周には弾性変形可能な軟質材料からなる環状の圧入部材を設けている。
【００９８】
案内筒の複数の球体は、基本的にはテーパー部に保持されており、従って、「ピンの直径」と「球体の直径×２」との合計数値に対応するテーパー部の内径位置において、ピンが複数の球体で形成される環の内側に挟持される。
【００９９】
以上の構成を持つピン留め具においては、案内筒におけるテーパー部の下方位置に下部円筒状内壁部が形成されており、この領域において球体が上下に自由運動可能な構成であっても良い。更に、外筒体が上側ハウジングと下側ハウジングから成る２部材で構成されており、下側ハウジングには前記ピンの挿入口が、上側ハウジングには前記内向フランジが形成されている構成であっても良い。
【実施例】
【０１００】
以下に本発明の実施例を図面に基づいて説明する。本発明の技術的範囲は、以下の実施例によって限定されない。
【０１０１】
〔第１実施例〕
ピン留め具の部品
本発明のピン留め具は図２に示すピン１１をピン留めするためのものであり、図５に示すようにピンを内筒体のT1側の開口部から挿入する方式の設計である。
【０１０２】
ピン留め具１０の部品として、図２の（ａ）、（ｂ）、図３の（ａ）、（ｂ）及び図４の（ａ）、（ｂ）にそれぞれ示すカバー部材２０、外筒体３０、内筒体４０、及びコイルバネ５０が用いられる。以下、ピン１１、内筒体４０、コイルバネ５０、外筒体３０、カバー部材２０の順にそれぞれ説明する。
【０１０３】
（ピン）
図２に示すように、ピン１１は本体１２に取付けられている。ここに「本体」とは、タイタック、ピンブローチ、ピアス、ネックレスその他の身体装飾品における宝石等をあしらった装飾部材であり、又はおもちゃ、日用雑貨等の身体装飾品以外の比較的小さなサイズの各種の物品であり、あるいは、単にピン１１を支持するためのベース部材である。ピン１１の先端部付近には、後述するピン留めアーム５２を食い込ませるための凹部１３を形成しているが、このような凹部１３の形成は不可欠ではない。
【０１０４】
（内筒体）
図３（ｂ）に示す内筒体４０は、ピン１１の太さよりも幾分大きい内径を有する金属製の円筒体である。
【０１０５】
内筒体４０におけるT1側（図の右側）の開口端部は、開口面積が次第にラッパ状に広がる湾曲面４１とされている。又、このT1側の端部には、径方向の外側へ半円状に膨出する外向フランジ４２を形成している。このため、外向フランジ４２におけるT2側（図の左側）の側面４３は、断面円弧状の湾曲面となっている。
【０１０６】
内筒体４０には、その対向する壁部を貫通させて、切欠き窓４４と、内筒体４０のT2側の端部から軸方向沿いに切欠き窓４４に至る切欠き状のガイド溝４５を形成している。切欠き窓４４は、T1側に向かって深く切り込まれたアーム通過部４６と、このアーム通過部４６に隣接して傾斜面状に設けられたアーム退避部４７を備えた形状である。
【０１０７】
内筒体４０におけるT1側の端部に近い適宜な部位の外周部には、その周方向に溝状の固定部４８を設けている。この固定部４８はコイルバネ５０のT1側の端部を嵌め込んで固定するためのものである。
【０１０８】
（コイルバネ）
コイルバネ５０は、引っ張りバネの状態において内筒体４０の外周に巻回すように設けるものであり、コイルの内径は内筒体４０の外径に比較してやや大きく、コイルの外径は、外筒体３０の内径に比較して、次に述べる揺動アーム５１を設定できる程度に小さい。
【０１０９】
コイルバネ５０におけるT2側（図のコイル軸方向左側）の端部からは、その端部をコイルの軸方向沿いにT1側（図のコイル軸方向右側）へ折返して形成した直線状の揺動アーム５１を、コイルバネ５０のT1側の端部よりも更にT1側方向へ延設している。更に揺動アーム５１の先端からは、コイルバネ５０の軸線に対する直角方向へ屈曲された直線状のピン留めアーム５２を延設している。
【０１１０】
（外筒体）
図３（ａ）に示す外筒体３０はコイルバネ５０と内筒体４０における外向フランジ４２以外の部分の外周を包囲する金属製の円筒体である。外筒体３０のT1側（図の右側）の端部には、径方向の内側へ湾曲して形成された内向フランジ３１を設けている。そのため内向フランジ３１のT1側の側面３２は断面円弧状の湾曲面とされている。
【０１１１】
内向フランジ３１における開口部は、内筒体４０の円筒部とコイルバネ５０のコイルリング部を通過させ得るが、内筒体４０の外向フランジ４２は通過させない内径に設定されている。又、外筒体３０のT2側（図の左側）の端部には、カバー部材２０に係合するための外向きのフランジ３３を設けている。
【０１１２】
（カバー部材）
カバー部材２０はシリコンゴムからなり、外筒体３０の外周に設ける部材である。カバー部材２０は、図２（ｂ）に示すように、T2側（図の左側）の端部からT1側（図の右側）の端部に向かって次第に大径となる円筒状に形成されている。カバー部材２０のT2側の端部には内向きのストッパーフランジ２１が形成され、カバー部材２０の適宜な部位の内周面には、前記外筒体３０の外向きのフランジ３３に係合するためのリング状の溝２２が形成されている。
【０１１３】
更に、カバー部材２０のT1側の端部には、内筒体４０の外向フランジ４２における断面円弧状の側面４３と、外筒体３０の内向フランジ３１における断面円弧状の側面３２との境界部の外周に接することとなる環状の圧入部２３が、内向きのフランジ状に形成されている。圧入部２３の先端部は、断面が円弧状に形成されている。なお、圧入部２３のT2側の隣接部分を薄肉に形成することにより、逃げ用のスペース２４を形成している。
【０１１４】
ピン留め具の組付け
図５（ａ）に基づきピン留め具１０の組付けについて以下に説明する。ピン留め具１０の組付け工程は、以下の（ア）〜（エ）の３工程からなる。
【０１１５】
（ア）まず、内筒体４０の外周にコイルバネ５０を取付け、その片側の端部を内筒体４０の固定部４８に固定するとともに、コイルバネ５０の他の片側の端部から延設したピン留めアーム５２を内筒体４０の切欠き窓４４に通しておく。
【０１１６】
（イ）次に、これらの外周に外筒体３０を取付ける。その取付けにおいては、外筒体３０の内向フランジ３１における開口部から内筒体４０とコイルバネ５０を通して、内向フランジ３１が内筒体４０の外向フランジ４２に接触する位置まで進入させ、外筒体３０の内向フランジ３１にピン留めアーム５２を押圧状態で接触させておく。
【０１１７】
（ウ）最後に、外筒体３０の外側にカバー部材２０を被せる。
【０１１８】
ピン留め具の使用状態
以上の組付け状態のピン留め具１０において、コイルバネ５０は引っ張りバネの状態にあるため、内筒体４０の外向フランジ４２と外筒体３０の内向フランジ３１は常時接触している。その状態においては、図６（ａ）に示すように、コイルバネ５０の延設部分であるピン留めアーム５２は、内筒体４０のほぼ軸心位置を通過するというピン留め位置にある。
【０１１９】
ピン留めアーム５２がピン留め位置にある場合は、内筒体４０に差し込まれたピン１１はピン留めアーム５２と内筒体４０の壁部との間強く挟着されていて、抜くことのできない「ピン留め状態」にある。なお、ピン留めアーム５２がピン留め位置にあるピン留め具１０に対しては、新たにピン１１を差し込むことも困難である。
【０１２０】
ピン留め状態を解除するためには、内筒体４０の外向フランジ４２と外筒体３０の内向フランジ３１との境界部外周に接するカバー部材２０の圧入部２３を、任意の部位において親指と人差し指で対向方向（Ａ方向）から押すだけで良い。そうすると、図５（ｂ）に示すように、引っ張りバネの状態にあるコイルバネ５０の付勢力に抗して、外向フランジ４２と内向フランジ３１との間に圧入部２３がクサビのように押し込まれ、そのため内筒体４０はT1側へ、外筒体３０はT2側へ相対移動する。
【０１２１】
上記の相対移動に際して、コイルバネ５０のT1側の端部は内筒体４０に固定され、T2側の端部から延設されたピン留めアーム５２は外筒体３０の内向フランジ３１に押圧状態で接触しているので、もともと引張りバネの状態にあるコイルバネ５０のコイル部分が更に強い引張り状態となる。しかもその際、コイルバネ５０のT2側の端部は揺動アーム５１によってT2側の方向へ押される状態となるので、コイルバネ５０における最もT2側のコイルリングは、図５（ｂ）に示すように、本来の位置から捲り上げられるような捩れ変形を受ける。この変形に伴って、揺動アーム５１とピン留めアーム５２が、内向フランジ３１に押圧状態で接触したままで、全体として径方向の外側（図の下方向）へ揺動するように変位する。即ち、内筒体４０のほぼ軸線位置を径方向へ通過していたピン留めアーム５２は、図６（ｂ）に示すように、内筒体４０の軸線位置からかなり偏心した位置を通過するように変位する。このように変位したピン留めアーム５２の位置が、「ピン留め解除位置」である。
【０１２２】
ピン留めアーム５２がピン留め解除位置に変位すると、内筒体４０に差し込まれたピン１１は、ピン留めアーム５２と内筒体４０の壁部との間での挟着状態から開放されるので、ピン留め具１０から簡単に抜くことができる。なお、ピン留めアーム５２がピン留め解除位置にあるピン留め具１０に対しては、新たにピン１１を差し込むことも容易である。
【０１２３】
〔第２実施例〕
本実施例に係るピン留め具とその使用状態を図７に基づいて説明する。図７は、本実施例に係るピン留め具１０１のピン留め解除状態を示すものであり、第１実施例における図５（ｂ）に相当する。
【０１２４】
内筒体４０１におけるT2側（図の左側）の端部に近い適宜な部位の外周部には、その周方向に溝状の固定部４８１を設けている。この固定部４８１はコイルバネ５０１のT2側の端部を嵌め込んで固定するためのものである。
【０１２５】
コイルバネ５０１は、圧縮バネの状態において内筒体４０１の外周に巻回すように設けるもので、コイルの内径は内筒体４０１の外径に比較してやや大きい。このコイルバネ５０１については、後述のように圧縮方向の強い力を受けた揺動アームがピン留めアームの延設方向に対する直角方向（図の下側方向）へ確実に傾動するように、図示のものとは逆向きに巻かれたコイルリングを持つコイルバネを用いても良い。
【０１２６】
コイルバネ５０１におけるT1側（図の右側）の端部からは、その端部をコイルの軸方向沿いにT1側へ屈曲させて形成した直線状の揺動アーム５１１を延設している。更に揺動アーム５１１の先端からは、コイルバネ５０１の軸線に対する直角方向へ屈曲された直線状のピン留めアーム５２１を延設している。ピン留めアーム５２１は、内筒体４０１の切欠き窓４４１を通過して内筒体４０１のほぼ軸線位置を横断している。ピン留めアームは、コイルバネ５０１の押圧力によって、常に、外筒体３０１の内向フランジ３１１に押圧されている。
【０１２７】
以上のピン留め具１０１において、コイルバネ５０１は圧縮状態にあり、内筒体４０１の外向フランジ４２１と外筒体３０１の内向フランジ３１１は常時接触している。これらの外向フランジ４２１と内向フランジ３１１との境界部外周に接するカバー部材２０１の圧入部２３１を、任意の部位において親指と人差し指で対向方向（Ａ方向）から押すと、圧縮状態にあるコイルバネ５０１の付勢力に抗して圧入部２３１が押し込まれ、内筒体４０１はT1側へ、外筒体３０１はT2側へ相対移動する。
【０１２８】
上記の相対移動に際して、コイルバネ５０１のピン留めアーム５２１は内向フランジ３１１に押圧状態で接触しているので、もともと圧縮状態にあるコイルバネ５０１が更に強い圧縮状態となり、コイルバネ５０１の最もT1側のコイルリングは捩れ変形を受ける。この捩れ変形に伴って、ピン留めアーム５２１が、内向フランジ３１１に押圧状態で接触したままで、全体として径方向の外側（図の下方向）へ、即ちピン留め解除位置へ揺動するように変位する。
【０１２９】
本実施例において、上記以外の点は第１実施例と同様である。
【０１３０】
〔第３実施例〕
本実施例のピン留め具６０においては、図８（ａ）に示すように、外筒体６１が、下端側にピン７２に対するピン挿入口６２を備え、上端側に上部開口を有する内向フランジ６３を備えたハウジングとして形成されている。この外筒体６１内には、内側壁面に上側に向かい拡径するテーパー部６４が形成された案内筒６５を設けている。案内筒６５の内側空間には、複数のピン留め用の球体６６、６６・・・と内筒体（球体押圧部材）６７が配置されている。
【０１３１】
内筒体６７は、下側端部に鍔部材６８を有し、この鍔部材６８と外筒体６１の内向フランジ６３との間に設けた圧縮状態のコイルバネ６９により、ピン挿入口６２方向に付勢されている。鍔部材６８の下面は前記複数の球体６６、６６・・・と接触している。そのため、複数の球体６６、６６・・・は、常に案内筒６５のテーパー部６４における下部側（径の小さい側）に押されている。
【０１３２】
内筒体６７における上側端部は、外筒体６１の内向フランジ６３を通過して外筒体６１の外部に露出し、内筒体６７のこの露出端部には、内筒体６７の出し入れ操作用の外向フランジ７０が形成されている。
【０１３３】
更に重要な点として、内筒体６７の外向フランジ７０と、この外向フランジ７０に隣接する外筒体６１の内向フランジ６３との境界部の外周には弾性変形可能な軟質材料からなる環状の圧入部材７１を設けている。
【０１３４】
図８（ａ）に示すピン留め具６０では、案内筒６５におけるテーパー部６４の下方位置に下部円筒状内壁部が形成されており、この領域において球体６６、６６・・・が上下に自由運動可能な構成である。しかし、変更実施例として、例えば図９に示すピン留め具６０１のように、外筒体６１１が上側ハウジング６１２と下側ハウジング６１３から成る２部材で構成されており、下側ハウジングにはピンの挿入口が、上側ハウジングには内向フランジ６３１が形成されている構成であっても良い。
【０１３５】
図８（ａ）、（ｂ）に示すピン留め具６０の使用状態を以下に簡単に説明する。ピン留め具６０においては、自然状態では複数のピン留め用の球体６６、６６・・・が、圧縮状態のコイルバネ６９の付勢力により、案内筒６５のテーパー部６４内において径の小さな部分に押込まれ、ピン７２を強く挟持する「ピン留め位置」にある。従って、挿入されたピン７２は、抜くことのできないピン留め状態にある。
【０１３６】
ピン留め状態を解除するには、図８（ｂ）に示すように環状の圧入部材７１を親指と人差し指で対向方向（Ａ方向）から押すだけで良い。そうすると、圧縮状態にあるコイルバネ６９の付勢力に抗して、内筒体６７の外向フランジ７０と外筒体６１の内向フランジ部６３との間に圧入部材７１がクサビのように押し込まれ、内筒体６７と外筒体６１が軸方向へ相対移動する。その結果、ピン留め用の球体６６、６６・・・が圧縮状態のコイルバネ６９の付勢力から開放され、案内筒６５のテーパー部６４内において径の大きな部分への移動を許されるため、容易にピン７２を抜くことのできるピン留め解除状態になる。
【産業上の利用可能性】
【０１３７】
本発明によって、ピン留め操作とその解除操作を簡単・確実に行えるピン留め具が提供される。
【図１】
2013048682.tif 000003
【図２】
2013048682.tif 000004
【図３】
2013048682.tif 000005
【図４】
2013048682.tif 000006
【図５】
2013048682.tif 000007
【図６】
2013048682.tif 000008
【図７】
2013048682.tif 000009
【図８】
2013048682.tif 000010
【図９】
2013048682.tif 000011